(57)【特許請求の範囲】
【請求項１】
複数の円筒状基材の筒軸を合わせて積み重ね、下方から上方に垂直に押し上げながら、垂直塗布装置により前記円筒状基材外周面上に塗布液を連続的に塗布する工程において、塗布前または塗布後の位置で前記円筒状基材外周面上に流体を吹き付ける吐出口を有する中空円筒状の吹き付け手段を前記円筒状基材の同軸に配設してなる位置決め手段により前記円筒状基材の位置決めを行う円筒状基材の位置決め方法において、
前記円筒状基材表面に対向する吹き付け手段の複数の吐出口と前記吐出口に近接する複数の排気口との総面積比が、１：１〜１：３００であり、
前記吐出口と排気口とは前記位置決め手段に一体に組み込まれたものであって、
前記吐出口と前記円筒状基材外周面との間隙が２０μｍ〜２５０μｍであることを特徴とする円筒状基材の位置決め方法。
【請求項２】
前記垂直塗布装置がスライドホッパー型塗布装置であることを特徴とする請求項１に記載の円筒状基材の位置決め方法。
【請求項３】
前記吐出口と排気口の開口部が円形であることを特徴とする請求項１に記載の円筒状基材の位置決め方法。
【請求項４】
前記吐出口の開口部の直径が１．０ｍｍ以下であることを特徴とする請求項３に記載の円筒状基材の位置決め方法。
【請求項５】
前記排気口の開口部の直径が１ｍｍ以上であることを特徴とする請求項３に記載の円筒状基材の位置決め方法。
【請求項６】
前記吐出口あるいは排気口の単位面積当たりの配置個数が、吹き付け手段の軸方向で変化するように配列されていることを特徴とする請求項１ないし５のいずれか１項に記載の円筒状基材の位置決め方法。
【請求項７】
複数の円筒状基材の筒軸を合わせて積み重ね、下方から上方に垂直に押し上げながら、垂直塗布装置により前記円筒状基材外周面上に塗布液を連続的に塗布する工程において、塗布前または塗布後の位置で前記円筒状基材外周面上に流体を吹き付ける吐出口を有する中空円筒状の吹き付け手段を、前記円筒状基材の同軸に配設して成る位置決め手段により前記円筒状基材の位置決めを行う円筒状基材の位置決め装置において、
前記円筒状基材表面に対向する吹き付け手段の複数の吐出口と前記吐出口に近接する複数の排気口との総面積比が、１：１〜１：３００であり、
前記吐出口と排気口とは前記位置決め手段に一体に組み込まれたものであって、
前記吐出口と前記円筒状基材外周面との間隙が２０μｍ〜２５０μｍであることを特徴とする円筒状基材の位置決め装置。
【発明の詳細な説明】
【０００１】
【産業上の利用分野】
本発明は、複数の円筒状基材外周面上に処理液を連続的に塗布する際に、該円筒状基材を位置決めする方法及び装置に関し、特に、円筒状基材に感光液を塗布することにより、電子写真感光体を製造する際に、円筒状基材を正確に位置決めする方法及び装置に関する。
【０００２】
【従来の技術】
電子写真装置で使用される感光体である有機光導電体感光ドラムの製造においては、円筒形状のドラムに感光性の感光液（処理液）を塗布する。その塗布に当たっては、円筒ドラムの周面にスライドホッパーを所定位置に位置せしめ、両者間の間隙を周方向に関して一定に保持する調整作業が必要となる。この場合、所要の塗布層厚は極めて薄いため、円筒状ドラムが０．１ｍｍずれても周方向に関し、円筒面全体としてみれば塗膜層の膜厚の大きな偏差要因となる。
【０００３】
かかる塗膜層の膜厚偏差があると、円筒状ドラムの周方向で帯電量の変化、感度の不均一、残留電位の変化等の各種不具合が生じることは周知の事実である。従って、円筒状ドラムの正確な位置決めが極めて重要となる。
【０００４】
従来、この種の円筒状ドラムの位置決め装置としては、例えば特開昭６０−５０５３７号公報に記載のように、支持部材に回転自在に設けた位置規制コロを円筒状ドラムの外周に接触させて設けたものがある。また、特開平３−２８００６３号公報及び特開平４−７３６５５号公報には、エアベアリングを使用した感光ドラムの位置決め装置が開示されている。
【０００５】
【発明が解決しようとする課題】
しかしながら、上記のコロ接触式の従来の位置決め装置は、位置規制コロを直接円筒状ドラムに対して接触させながら位置決めするものであるので、円筒状ドラムに傷がついてしまうという難点があった。円筒状ドラムに傷がつくと、電子写真特性が悪化することは周知である。
【０００６】
上記エアベアリング式の位置決め装置は、空気等の流体を吹付ノズルから吹き付けて位置決めを行うようにしたもので、円筒状ドラムの傷付きが防止でき、極めて有効である。
【０００７】
しかし、図７（ａ）に示すように、複数の円筒状ドラム１Ａ，１Ｂの端部を接して積み重ねて繋ぎ合わせた状態で移動させる場合、先の円筒状ドラム１Ａが位置決め用吹付ノズル３から逃げて、次の円筒状ドラム１Ｂに移行するとき、先の円筒状ドラム１Ａが外的要因により、水平方向に移動させる外力が作用したときには、図７（ｂ）のように、たとえ次の円筒状ドラム１Ｂの位置決めを行うことができたとしても、先の円筒状ドラム１Ａが水平方向に急にずれてしまうことがある。この移動現象が生じると、感光液の横段や液切れ塗布等となって現れる。
【０００８】
本発明の主課題は円筒状ドラムに傷を付けることなく、円筒状ドラムの位置決めを行うとともに、円筒状ドラム相互間の繋ぎ部分における円筒状ドラムの位置ずれを防止することにある。
【０００９】
【課題を解決するための手段】
上記課題を解決する本発明の請求項１に記載の円筒状基材の位置決め方法は、複数の円筒状基材の筒軸を合わせて積み重ね、下方から上方に垂直に押し上げながら、垂直塗布装置により前記円筒状基材外周面上に塗布液を連続的に塗布する際、塗布前または塗布後の位置で、前記円筒状基材外周面上に流体を吹き付ける吐出口を有する中空円筒状の吹き付け手段を、前記円筒状基材の同軸に配設してなる位置決め手段により前記円筒状基材の位置決めを行う円筒状基材の位置決め方法において、前記円筒状基材表面に対向する吹き付け手段の複数の吐出口と前記吐出口に近接する複数の排気口との開口総面積比が、１：１〜１：３００であり、前記吐出口と排気口とが前記位置決め手段に一体に組み込まれたものであって、前記吐出口と前記円筒状基材外周面との間隙が２０μｍ〜２５０μｍであるることを特徴とするものである。
【００１０】
また、上記課題を解決する本発明の請求項７に記載の円筒状基材の位置決め装置は、複数の円筒状基材の筒軸を合わせて積み重ね、下方から上方に垂直に押し上げながら、垂直塗布装置により前記円筒状基材外周面上に塗布液を連続的に塗布する際、塗布前または塗布後の位置で、前記円筒状基材外周面上に流体を吹き付ける吐出口を有する中空円筒状の吹き付け手段を、前記円筒状基材の同軸に配設してなる位置決め手段により前記円筒状基材の位置決めを行う円筒状基材の位置決め装置において、前記円筒状基材表面に対向する吹き付け手段の複数の吐出口と前記吐出口に近接する複数の排気口との総面積比が、１：１〜１：３００であり、前記吐出口と排気口とが前記位置決め手段に一体に組み込まれたものであって、前記吐出口と前記円筒状基材外周面との間隙が２０μｍ〜２５０μｍであることを特徴とするものである。
【００１１】
【作用】
本発明では、円筒状基材の外周面に対して流体を吹き付けて、その流体量により円筒状基材の位置決めを行う。すなわち、円筒状基材の周囲から流体、例えばエアを吹き付けると、その吹き付け流体量圧力により、円筒状基材の位置が中立化し、これによって円筒状基材が所定位置に位置決めされる。しかも、円筒状基材に機械的接触することがないから、円筒状基材に傷を付けることが防止される。
【００１２】
他方、位置決めに当たり、前記円筒状基材表面に対向する吹き付け手段の複数の吐出口と、該吐出口に近接する複数の排気口との総面積比が、１：１〜１：３００、好ましくは、１：２〜１：２００に設定することにより、円筒状基材の外周面に対して、複数の吐出口から実質的に連続して流体を吹き付けて位置決めを行い、吹き付け後の流体を排気口から装置外に排出するもので、複数の円筒状基材間の突き合わせ部分においても、両円筒状基材の位置決めを正確に行うことができる。このように円筒状基材を正確かつ円滑に保持、移動させることによって、塗布液の膜厚変動を押さえて、塗布性を向上させることができる。また、円筒状基材やコーターに傷を発生させることがなくなった。
【００１３】
【実施例】
以下、本発明の実施例を図面に基づいて詳細に説明する。
【００１４】
図１は、本発明の位置決め装置を含む環状の垂直塗布装置の全体を示す断面図である。該垂直塗布装置は、中心線Ｏに沿って垂直状に重ね合わせた円筒状基材（円筒状ドラム）１Ａ，１Ｂに塗布液（感光液）２を塗布する垂直塗布装置１０と、該垂直塗布装置１０の下方に固設された円筒状基材位置決め装置２０と、前記垂直塗布装置１０の上方に設置された乾燥フード３０と、前記位置決め装置２０の下部に固定された支持装置４０とから構成されている。
【００１５】
垂直塗布装置１０の内部には、円筒状基材１Ａの外周を取り囲むように塗布液２を塗布する塗布ヘッド１１、該塗布ヘッド１１に隣接するテーパ状の塗布液流出口（塗布液スライド面）１２、水平方向の幅狭の塗布液通路を形成する塗布液分配用スリット１３、塗布液分配室１４が形成されている。前記塗布液分配室１４には塗布液供給パイプ１６が接続され、図示しない圧送ポンプにより塗布液が供給される。
【００１６】
上記垂直塗布装置１０による塗布方法は、垂直塗布装置１０を固定し、前記円筒状基材１Ａを中心線Ｏに沿って矢示方向に上昇移動させながら円筒状基材１Ａの上端部より塗布ヘッド１１により塗布を行う。
【００１７】
前記垂直塗布装置１０には、圧送ポンプにより一定量の塗布液が安定して送り込まれ、塗布液供給パイプ１６、塗布液分配室１４、塗布液分配用スリット１３、塗布液流出口１２を経て、塗布ヘッド１１に供給され、円筒状基材１Ａの表面に塗布液が塗布され感光層が形成される。
【００１８】
前記垂直塗布装置１０の上部には、垂直に形成した乾燥フード３０が固定されている。該乾燥フード３０には多数の開口部３１が形成されている。前記垂直塗布装置１０により形成された円筒状基材上の感光層は、前記乾燥フード３０内を通過しながら塗布された感光液２を徐々に乾燥させる。乾燥は前記開口部３１より感光液に含まれる溶媒を外部に放出させることにより行なわれる。
【００１９】
前記垂直塗布装置１０の下部には、円筒状基材位置決め装置２０が固定されている。図２（ａ）は図１における円筒状基材位置決め装置２０のＡ−Ａ断面図（給気部）、図２（ｂ）はＢ−Ｂ断面図（排気部）である。
【００２０】
前記円筒状基材の位置決め装置２０は、外筒部材２１と、該外筒部材２１の内部に固定された内筒部材２２とから構成されている。外筒部材２１と内筒部材２２には、両部材を貫通する複数の給気口２３と、複数の排気口２６が穿設されている。該複数の給気口２３は、図示しない給気ポンプに接続され、空気等の流体が圧送される。
【００２１】
図１及び図２（ａ）に示すように、前記外筒部材２１には、給気口２３が水平方向に４個の放射状に配置され、さらに垂直方向に複数段（図示５段）配列されている。該外筒部材２１の内周面には水平溝２４が穿設されていて、前記内筒部材２２の外周面との間に水平流路を形成し、前記水平方向に放射状に配置された４個の給気口２３に連通している。前記内筒部材２２には、水平方向に１２個の吐出口２５を有する穴が貫通している。該吐出口２５は前記円筒状基材１の外周面と間隙Ｇを保って対向している。該間隙Ｇは、２０μｍ〜３ｍｍ、好ましくは３０μｍ〜２ｍｍである。この間隙Ｇが２０μｍより小さいと、円筒状基材１の僅かな振れで内筒部材２２に接触して円筒状基材１を傷つけやすい。また、間隙Ｇが３ｍｍより大であると、円筒状基材１の位置決め精度が低下する。前記吐出口２５は直径０．０１〜１．０ｍｍの小口径のノズルであり、好ましくは０．０５〜０．５ｍｍが良い。
【００２２】
図１及び図２（ｂ）に示すように、前記外筒部材２１及び内筒部材２２を貫通して、排気口２６が水平方向に４個の放射状に配置され、さらに垂直方向に複数段（図示５段）配列されている。該排気口２６は垂直方向に前記給気口２３と交互に配列されている。内筒部材２２の内周面には、垂直溝２７が穿設されていて、前記複数段の排気口２６を連通している。
【００２３】
前記内筒部材２２の下部の内周面は、入り口側が広がったテーパー面２８になっている。このテーパー面２８は、例えば軸方向の長さが５０ｍｍで、片側傾斜角が０．５ｍｍの円錐面である。このテーパー面２８を設けることにより、円筒状基材１が内筒部材２２に進入するとき、円筒状基材１の先端部が内筒部材２２の内周面に接触することを防止している。
【００２４】
前記給気ポンプから圧送された流体は、複数の給気口２３から外筒部材２３内に導入されて、水平溝２４を介して複数の吐出口２５から吐出され、前記円筒状基材１Ａ（１Ｂ）の外周面と均一な流体膜層を形成する。吐出後の流体は垂直溝２７を経て複数の排気口２６から装置外に排出される。
前記吐出口２５の開口直径は０．０１〜１ｍｍ、好ましくは０．０５〜０．５ｍｍ、例えば０．２〜０．５ｍｍの円形に形成されている。排気口２６の開口直径は１．０〜１０ｍｍ、好ましくは２．０〜８．０ｍｍ、例えば３〜５ｍｍの円形に形成されている。そして前記吐出口２５及び排気口２６とは、前記位置決め手段２０の最内面を形成する部材（内筒部材２２）の円筒状基材１の外周面に対向する側に、一体に組み込まれている。
【００２５】
前記円筒状基材表面に対向する吹き付け手段の複数の吐出口２５と、該吐出口２５に近接する複数の排気口２６との開口総面積比（Ｓ比）が、１：１ないし１：３００に設定した。吐出口２５と排気口２６との開口総面積比（Ｓ比）が１：１より大きいときには、吹き付け手段の外部に流体が漏れ出るため、塗布された液膜を振動させたりして、塗布性に悪影響を与える。また、開口総面積比（Ｓ比）が１：３００より小さいときには、排気による流体に好ましくない流れが生じ、前記液膜生成を不安定にしたり、位置決め機能を低下させたりする。このため好ましくは、１：２ないし１：２００が良い。
【００２６】
前記吹き付け手段内に穿設された複数の前記吐出口２５及び排気口２６の配置密度は、吹き付け手段の軸方向において、同じか好ましくは上方になる程大きくなるのが良い。
【００２７】
なお、図１に示す位置決め装置２０は、１組のユニットであるが、２組以上のユニットを上下方向に連続接続しても良い。
【００２８】
前記給気口２３に供給される流体は、空気、不活性ガス例えば窒素ガスが良い。そして該流体は、ＪＩＳ規格でクラス１００以上の清浄な気体が良い。
【００２９】
なお、本発明の位置決め装置に接続される垂直塗布装置としては、スライドホッパー型、押し出し型、リングコーター、スプレー塗布等の各種装置が用いられる。
【００３０】
［実施例］
次に、具体的な実施例により本発明を説明するが、本発明はこれに限定されるものではない。
【００３１】
実施例１
（実施例及び比較例）
導電性支持体（円筒状基材）１としては鏡面加工を施した直径８０ｍｍ、高さ３５５ｍｍのアルミニウムドラム支持体を用いた。
【００３２】
前記導電性支持体１上に下記の如く塗布液組成物ＵＣＬ−１（３．０Ｗ／Ｖ％ポリマー濃度）を調製し、図１に記載の如くのスライドホッパー型塗布装置１０を用いて塗布した。図３は前記塗布装置１０と位置決め装置２０の模式断面図、図４は位置決め装置２０の一部破断斜視図である。この実施例では、上記塗布装置１０の直前に図３に示す位置決め装置２０（長さＨ＝２００ｍｍ、Ｈ１〜Ｈ４＝各５０ｍｍ、吐出口径０．３ｍｍ、排気口径２．０ｍｍ）を吐出装置と排気装置とを交互に積み重ねた構成となし、表１に記載の如くの吐出口／排気口総面積比（Ｓ比）で設置し、塗布ドラムＮｏ．１−１〜Ｎｏ．１−５を得た。なお、円筒状基材１の移動速度は２０ｍｍ／ｓｅｃ、コーター（塗布ヘッド）１１と円筒状基材１間ギャップは１００μｍで行った。結果を表１に示す。
【００３３】
・ＵＣＬ−１塗布液組成物
共重合ナイロン樹脂（ＣＭ−８０００  東レ社製）
メタノール／ｎ−ブタノール＝１０／１（Ｖｏｌ比）
【００３４】
【表１】
0003694917.tif 000002
【００３５】
表１に示す如く円筒状基材１やコーター１１に損傷を与えず、膜厚変動が少なくまた塗布欠陥も生じない。
【００３６】
実施例２
（実施例及び比較例）
導電性支持体（円筒状基材）１としては実施例１と同じアルミニウムドラム支持体を用いた。
【００３７】
前記導電性支持体１上に下記の如く塗布液組成物ＣＧＬ−２（３．０Ｗ／Ｖ％固形分濃度）を分散調製し、図１に記載の如くのスライドホッパー型塗布装置１０を用いて塗布した。この際、上記塗布装置１０の直前に図５に示す位置決め装置（長さＨ＝２４０ｍｍ、Ｈ１〜４＝各６０ｍｍ、吐出口径０．１ｍｍ、排気口径５．０ｍｍ、但し吐出口２５の単位面積当たりの個数すなわち密度はＨ４の部分の方がＨ２の部分よりも１０％増しとし、排気口２６も同様にＨ３の部分をＨ１よりも１０％増しとした。）を表２に記載の如くのＳ比で設置し、塗布ドラムＮｏ．２−１〜Ｎｏ．２−６を得た。なお円筒状基材１の移動速度は３０ｍｍ／ｓｅｃ、コーター１１・円筒状基材１間ギャップは１００μｍで行った。
【００３８】
・ＣＧＬ−２塗布液組成物
ペリレン顔料（ＣＧＭ−４）
ブチラール樹脂（エスレックＢＸ−Ｌ  積水化学社製）
メチルエチルケトン
上記塗布液組成物（固形分については固形分重量比ＣＧＭ−２：ＢＸ−Ｌ＝２：１に固定）をサンドミルを用いて２０時間分散したもの。
【００３９】
【化１】
0003694917.tif 000003
【００４０】
【表２】
0003694917.tif 000004
【００４１】
表２に示す如くドラムやコーターに損傷を与えず、膜厚変動が少なくまた色ムラや塗布欠陥も生じない。
【００４２】
実施例３
（実施例）
導電性支持体（円筒状基材）１としては実施例１と同じアルミニウムドラム支持体を用いた。
【００４３】
前記導電性支持体１上に下記の如く塗布液組成物ＣＴＬ−１（３５Ｗ／Ｖ％固形分濃度）を調製し、図１に記載の如くのスライドホッパー型塗布装置１０を用いて塗布した。この際、上記塗布装置１０の直前に図６に示す位置決め装置２０（長さＨ＝２５０ｍｍ、吐出口径０．３ｍｍ、排気口径１０ｍｍ）を表３に記載の如くのＳ比で設置し、塗布ドラムＮｏ．３−１〜Ｎｏ．３−４を得た。なお、円筒状基材１の移動速度は５ｍｍ／ｓｅｃ、コーター１１と円筒状基材１間ギャップは２５０μｍで行った。結果を表３に示す。
【００４４】
・ＣＴＬ−１塗布液組成物
ＣＴＭ−１
ポリカーボネート（Ｚ−２００  三菱瓦斯化学社製）
１，２−ジクロロエタン
固形分については固形分重量比ＣＴＭ−１：Ｚ−２００＝０．８９：１に固定
【００４５】
【化２】
0003694917.tif 000005
【００４６】
【表３】
0003694917.tif 000006
【００４７】
表３に示す如く位置決め精度が高く、傷、塗布ムラも無く塗布性が良好であった。
【００４８】
本発明の感光体をＵＣＬ／ＣＧＬ／ＣＴＬと３層に逐次重層したＯＰＣ感光体を作製し実写したところ、濃淡ムラ、カブリムラや画像欠陥（黒ポチ、白ポチ、スジ故障、キズ故障）がなく良好であった。またコーターを損傷することもなかった。
【００４９】
【発明の効果】
本発明の塗布装置に備えた円筒状基材の位置決め方法及び装置により、以下の優れた効果が得られた。
【００５０】
（１）円筒状基材上に塗布された感光膜厚の変動が極めて微小となった。
【００５１】
（２）円筒状基材への塗布液の塗布性が良好になった。
【００５２】
（３）円筒状基材の表面の傷発生が解消された。
【００５３】
（４）塗布装置の塗布液吐出部（コーター）を損傷させることがない。
（５）円筒状基材の位置決め精度が向上した。
【図面の簡単な説明】
【図１】本発明による位置決め装置と塗布装置の縦断面図。
【図２】上記塗布装置のＡ−Ａ断面図及びＢ−Ｂ断面図。
【図３】塗布装置と位置決め装置の模式断面図。
【図４】位置決め装置の一部破断斜視図。
【図５】位置決め装置の他の実施例を示す模式断面図。
【図６】位置決め装置のさらに他の実施例を示す模式断面図。
【図７】円筒状基材を積み重ねて搬送する状態を説明する模式図。
【符号の説明】
１，１Ａ，１Ｂ  円筒状基材（円筒状ドラム、導電性支持体）
２  処理面（感光液面）
１０  垂直塗布装置（スライドホッパー型塗布装置）
１１  塗布ヘッド（コーター）
２０  位置決め装置（位置決め手段）
２１  外筒部材
２２  内筒部材
２３  給気口
２５  吐出口
２６  排気口
Ｇ  ギャップ（間隙）
Ｈ，Ｈ１，Ｈ２，Ｈ３，Ｈ４  位置決め装置の軸方向長さ
【図１】
0003694917.tif 000007
【図２】
0003694917.tif 000008
【図３】
0003694917.tif 000009
【図４】
0003694917.tif 000010
【図５】
0003694917.tif 000011
【図６】
0003694917.tif 000012
【図７】
0003694917.tif 000013